(57)【要約】【課題】隣接伝送チャネル間のクロストーク低減、できる限り小さい曲げ損失の達成、及び光ファイバケーブルの設置を容易にする。【解決手段】少なくとも２つの基本セルが埋め込まれた微細構造エリアを有する微細構造マルチコア光ファイバであって、基本セルの各々は、六角形の頂点及び辺の中点に、周りを囲むクラッドよりも屈折率の低い孔を有し、六角形の中心にコアを有し、並置された基本セルがコア周囲の孔を共有することを特徴とする。【選択図】図１
2017504053.tif 000002
【特許請求の範囲】
【請求項１】
少なくとも２つの基本セルが埋め込まれた微細構造エリアを含む微細構造マルチコア光ファイバであって、
前記基本セルの各々は、好ましくはガラス、特にドーピングされた石英ガラス、又はポリマーのコア（２．１）を含み、その周囲に、クラッドよりも屈折率が低い長手エリア（３．１）を有し、前記長手エリア（孔とも称する）が、ガス、特に空気又は流体又はポリマーを充填した孔、又は屈折率を低下させることが可能なドーピングを行った別のガラスの空間の形態をとることができると共に、ガラス、特に石英ガラス又はポリマーの母材に配置されており、前記孔（３．１）の屈折率は、それらが配置された前記ガラス、特に石英ガラス又はポリマーの母材の屈折率よりも低く、前記基本セルは、前記コア（２．１）の直径Ｄ２、孔（３．１）の直径Ｄ３、及び格子定数Λに相当する隣接した孔間の距離によって特徴付けられ、前記孔（３．１）の中心が六角形の頂点及び辺の中点に配置され、前記六角形の中心に前記コア（２．１）が指定され、前記コア（２．１）の領域に並置された少なくとも２つの前記基本セルが、ガラス、特に石英ガラス又はポリマーのクラッド（４．１）で覆われ、前記並置された基本セルが前記コア周囲の孔（３．１）を共有することを特徴とする、微細構造マルチコア光ファイバ。
【請求項２】
前記構造の第１の前記基本セルが前記マルチコア光ファイバの幾何学的中心に配置され、他の前記基本セルが辺又は頂点で前記第１の基本セルに付着していることを特徴とする、請求項１に記載の光ファイバ。
【請求項３】
前記孔の中心により作られる前記六角形の辺ｃの長さが前記格子定数Λの２倍に等しいことを特徴とする、請求項１又は２に記載の光ファイバ。
【請求項４】
前記並置された基本セルが孔（３．１）を取り囲むコア（２．１）を共有しないことを特徴とする、請求項１〜３のいずれか１項に記載の光ファイバ。
【請求項５】
前記基本セルが辺を共有する場合、第１のリングを構成する前記基本セルの前記コア（２．１）が六角形の頂点に配置され、前記六角形の辺ｂが前記格子定数の３倍にａを乗算した値に等しく、ここでａ＝２／３×√３であり、
前記基本セルが頂点を共有する場合、前記第１のリングの前記コア（２．１）が六角形の頂点に配置され、前記六角形の辺ｂが前記格子定数の４倍の値に等しく、
前記基本セルのコア（２．１）に続くリングは、前記基本セルが辺を共有する場合、六角形の頂点及び辺の中点に配置され、前記六角形の前記辺が前記格子定数の６倍の値に係数ａを乗算した値に等しく、ここでａ＝２／３×√３であり、
前記基本セルが頂点を共有する場合、前記第１のリングの前記コア（２．１）が六角形の頂点に配置され、前記六角形の辺ｄが前記格子定数の８倍の値に等しいことを特徴とする、請求項１〜４のいずれか１項に記載の光ファイバ。
【請求項６】
後続の各リングに対して、乗数ａは算術的な増加を示すことを特徴とする、請求項１〜５のいずれか１項に記載の光ファイバ。
【請求項７】
前記コア（２．１）の材料と前記クラッド（４．１）（外側及び内側）の材料との間の屈折率の差が、光波長λ＝１５５０ｎｍにおいてΔ＝５．６３×１０−３±２．９×１０−３であることを特徴とする、請求項１〜６のいずれか１項に記載の光ファイバ。
【請求項８】
前記格子定数Λが（７．８±３．６）μｍに等しく、ファイバコア直径が（０．７±０．４６）×Λに等しく、空気が充填された孔の直径が（０．７±０．３）×Λに等しく、前記クラッド直径がΛ×１３＋（５０±２０）μｍに等しいことを特徴とする、請求項１〜７のいずれか１項に記載の光ファイバ。
【請求項９】
増幅を伴う信号伝送に適用する場合、前記光ファイバの前記コア（２．１）に希土類のイオンをドーピングすることを特徴とする、請求項１〜８のいずれか１項に記載の光ファイバ。
【請求項１０】
前記コア（２．１）に、３×１０１８／ｃｍ−３〜１２０×１０１８／ｃｍ−３のレベルでエルビウムをドーピングし、これによって、前記コア（２．１）と前記クラッド（４．１）との間の屈折率の差が、光波長λ＝１５５０ｎｍにおいてΔ＝２．５×１０−２−２．１×１０−２〜２．５×１０−２＋１．６×１０−２となることを特徴とする、請求項９に記載の光ファイバ。
【請求項１１】
前記格子定数Λが（７．８±３．６）μｍに等しく、ファイバコア直径が（０．５±０．４６）×Λに等しく、空気が充填された孔の直径が（０．６±０．３）×Λに等しく、前記クラッド直径がΛ×１３＋（５０±２０）μｍに等しいことを特徴とする、請求項８〜１０のいずれか１項に記載の光ファイバ。
【請求項１２】
前記光ファイバの前記微細構造が、ガス、特に空気又は流体又はポリマーが充填され、又は屈折率を低下させることが可能なドーピングを行った別のガラスの空間（孔とも称する）の追加の孔（５．１）で取り囲まれ、これが追加クラッド（外側微細構造クラッド）を構成することを特徴とする、請求項９〜１１のいずれか１項に記載の光ファイバ。
【請求項１３】
追加クラッドを有する前記光ファイバの前記外側微細構造クラッドの一部である前記孔（５．１）が六角形の辺及び頂点上に配置されていることを特徴とする、請求項１２に記載の光ファイバ。
【請求項１４】
追加クラッドを有する前記光ファイバの前記外側微細構造クラッドの一部である前記孔（５．１）が円の円周上に配置されていることを特徴とする、請求項１２に記載の光ファイバ。
【請求項１５】
前記光ファイバの自由に選択された基本セル（複数の基本セル）が孔によって部分的に囲まれていることを特徴とする、請求項１〜１４のいずれか１項に記載の光ファイバ。
【請求項１６】
前記光ファイバの自由に選択された基本セル（複数の基本セル）が、直径の異なる孔によって部分的に囲まれていることを特徴とする、請求項１〜１５のいずれか１項に記載の光ファイバ。
【請求項１７】
前記光ファイバの前記構造において、屈折率を変化させた追加エリアの形態をとった、特に１つ又は複数の孔であり、光導波に影響を与えない、１つ又は複数のいわゆるマーカ６．１があることを特徴とする、請求項１〜１６のいずれか１項に記載の光ファイバ。
【請求項１８】
マルチコア光ファイバのコアを指定するための装置において、キャピラリ内に並列配置されたシングルコアシングルモード光ファイバ（シングルモード光ファイバとも称する）を、前記マルチコア光ファイバの前記コアの数に対応した数だけ含み、前記シングルモード光ファイバを収容した前記キャピラリが、前記マルチコア光ファイバに接続され、前記キャピラリ内の前記光ファイバの断面及び前記マルチコア光ファイバの断面が、それらの構成において平行であることを特徴とする、装置。
【請求項１９】
前記シングルモード光ファイバを収容した前記キャピラリ内に、前記マルチコア光ファイバの接続されないコアの数に対応した数のガラスロッドがあることを特徴とする、請求項１８に記載の装置。
【請求項２０】
前記マルチコア光ファイバの前記コアの配置の数が、中央の前記マルチコア光ファイバのコアの周りに閉じたリングのパターンを構成しない場合、前記キャピラリ内の前記ガラスロッドが、前記マルチコア光ファイバの前記コアを指定するための装置構造の充填材を構成することを特徴とする、請求項１８又は１９に記載の装置。
【請求項２１】
ガラス又はポリマーのキャピラリが、長手方向の伸張と組み合わせて、温度の影響下で幾何学的寸法が変化しやすい材料で作製されていることを特徴とする、請求項１８〜２０のいずれか１項に記載の装置。
【請求項２２】
前記キャピラリがドーピングされていない石英ガラスで作製されていることを特徴とする、請求項１８〜２１のいずれか１項に記載の装置。
【請求項２３】
前記キャピラリがポリマーで作成されていることを特徴とする、請求項１８〜２１のいずれか１項に記載の装置。
【請求項２４】
微細構造マルチコア光ファイバのコアを個別に指定するための装置の製造方法であって、
１．前記マルチコア光ファイバの構造を解析し、前記マルチコア光ファイバのコアの数、コアの直径、及びコア間の距離を求めること、
２．前記マルチコア光ファイバを接続するシングルモード光ファイバのコア及びクラッドの直径を測定し、前記シングルモード光ファイバのテーパ化の程度を決定すること、
３．シングルモード光ファイバの前記クラッドを除去し、その表面を洗浄すること、
４．実行され得るテーパ化及び相互再組み立ての後で、前記マルチコア光ファイバの前記コアと前記シングルモード光ファイバの前記コアとの位置合わせが可能となるように、前記シングルモード光ファイバの露出した洗浄済みの部分を、好ましくはフッ化水素酸によりエッチングすること、
５．前記決定したテーパ化の程度に従ってシングルモード光ファイバをテーパ化し、前記マルチコア光ファイバの前記コアの直径の寸法に等しい、前記シングルモード光ファイバのコア直径を実現し得るようにすること（これが好ましい場合）、
６．シングルモード光ファイバ及びガラスロッドを挿入することができ、前記挿入された要素が自由に動けないか又は動きが制限されるようなサイズにテーパ化することによって、キャピラリを準備すること、
７．シングルモード光ファイバ及びガラスロッドを前記キャピラリ内に収容すること、
８．加熱及び伸張によって前記キャピラリ内に収容し接合した構造物をテーパ化及び固定すると共に、必要ならば前記マルチコア光ファイバもテーパ化すること、
９．前記ファイバを制御しつつ延伸可能としながら、好ましくは様々な外径及び内部構造を有する光ファイバ用カッターを用いて、長手方向のキャピラリの軸に対して直角に、前記収容し接合した構造物を有する前記キャピラリを切断し、好ましくは前記キャピラリの表面を、前記キャピラリ内に収容した前記構造物と共に研磨すること、
１０．前記マルチコア光ファイバを切断し、好ましくはその表面を研磨すること、
１１．前記キャピラリ及び内部に収容して接合された前記構造物と共に、前記キャピラリを前記マルチコア光ファイバに対して配向すること、
１２．いずれかに開示された技術手段、好ましくは接合によって、前記キャピラリ及びその内部の前記構造物に前記マルチコア光ファイバを接続すること、
を含む、方法。
【請求項２５】
前記キャピラリ及びその内部構造物の前記テーパ化が、前記キャピラリが前記収容された光ファイバと共に前記内部構造物に固定されるように行われることを特徴とする、請求項２４に記載の方法。
【請求項２６】
シングルモード光ファイバの直径が前記マルチコア光ファイバの前記コア間の距離よりも著しく大きい場合には、前記技術動作シーケンスにおいて前記テーパ化及びエッチングの動作を変更し、接続される光ファイバの幾何学的形状に応じて、前記段階が省かれ得ることを特徴とする、請求項２４又は２５に記載の方法。
【請求項２７】
前記マルチコア光ファイバの前記コアがシングルモード光ファイバの前記コアの直径と異なる直径を有する場合には、前記テーパ化は、前記キャピラリ内の前記構造物のシングルモード光ファイバの前記コアの直径が前記マルチコア光ファイバの前記コアの直径と等しくなるまで継続し、
前記マルチコア光ファイバの直径が、接続される前記シングルモード光ファイバの前記直径よりも大きい場合には、該シングルモード光ファイバを前記キャピラリ内でテーパ化した後、前記マルチコア光ファイバもテーパ化することを特徴とする、請求項２４〜２６のいずれか１項に記載の方法。
【請求項２８】
前記マルチコア光ファイバ及び前記キャピラリ内の前記構造物の配向が、前記マルチコア光ファイバ又はシングルモード光ファイバの前記コアの１つに光が送出されるように行われると共に、融着しながら、前記キャピラリ内の前記シングルモード光ファイバ及び前記マルチコア光ファイバの１本にパワーのどの部分が伝達されたかによって前記接続が調べられるように行われることを特徴とする、請求項２４〜２７のいずれか１項に記載の方法。
【発明の詳細な説明】
【技術分野】
【０００１】
本発明の主題は、微細構造マルチコア光ファイバ（ＭＭＯＦ）、及び微細構造マルチコア光ファイバのコアを個別に指定（アドレス）するための装置の製造方法である。
【背景技術】
【０００２】
電気通信システムに光ファイバが導入されたことで、情報伝達の有効性は著しく向上した。光ファイバ１本当たり１０テラビット／秒に達する超大容量レベルの伝送チャネルの需要が急速に高まっているため、現在用いられている従来のシングルモード光ファイバに取って代わるある種のブレイクスルーが必要とされているようである。例えば時間、波長、偏光、及びその他の領域における今日までの多重化技法は、伝送帯域に対する指数関数的なニーズの増大を満たすには全く満足できるものではない。マルチコア光ファイバを用いた空間分割多重化（ＳＤＭ：space-division multiplexing）技法によって、１つの解決策がもたらされる。ＳＤＭは、別個の伝送チャネルとして用いられる分離したコアを有するマルチコア光ファイバで実施されている。ＳＤＭの１つのタイプが、モード分割多重化（ＭＤＭ：mode-division multiplexing）、すなわち、マルチモード伝搬が行われ、各モードが別個の伝送チャネルを表す、結合コアを有する光ファイバ構造の適用である。しかしながら、モード分割多重化において、モードを指定する有効な技法はまだ知られていない。
【０００３】
空間分割多重化技法は、例えば波長分割多重化（ＷＤＭ）、周波数分割多重化（ＦＤＭ）、及びその他の技法のような他の多重化技法と共に用いられる場合があり、これによって更に容量の増大を図る。
【０００４】
マルチコア光ファイバ及びＳＤＭを用いた伝送に求められる基本的な要件は、コア間のクロストークを抑制することである。すなわち、１つの伝送チャネルのユーザは、伝送媒体を共用する他のユーザの存在を感じてはならない。ＳＤＭを用いた商業的に費用対効果の大きい伝送のための他の要件は、実際の伝送システムに合致したパラメータを有する光ファイバの設計である。そのようなパラメータには、光ファイバの幾何学的寸法（標準的なシングルモード光ファイバと同じコア直径及び／又は同じマルチコア光ファイバ直径を達成可能であること）、分散（分散ゼロ波長（ＺＤＷ）及びＺＤＷにおける分散勾配を含む）、伝送損失、曲げ損失、偏光に依存する損失、カットオフ波長、及び非線形が含まれる。また、曲げ部分における許容可能レベルのクロストーク及び曲げ部分における分散を保証することも必要である。
【０００５】
クロストークを低減させるには、マルチコア光ファイバのコアを適切に離隔させなければならない。コア離隔のため、実際上はクロストーク低減のために、いくつかの手法がすでに知られている。それらには、コア間の空間を拡大することによる隣接モードの重複の低減、屈折率又は直径を変化させた不均一なコアの製造、コア周囲の屈折率プロファイルを変化させた構造の使用が含まれる。上記３つの手法を組み合わせることも可能である。コア間の空間を拡大するには、コアを広範囲に散在させて許容可能なクロストークレベルを達成する必要があるので、そのようなファイバでは高密度のチャネルが得られない。不均一なコアの概念は、マルチコア光ファイバのコアの屈折率又は直径にあまり大きくない差がある場合にそのようなコア間のクロストークレベルが著しく低減するという観察から生まれた。そのような光ファイバを設計するには、満足できるクロストークレベル及びチャネル密度を保証する最小数の様々なコアについて徹底的に解析する必要がある。上記の２つの方法、すなわちコアの散在と不均一コアの使用の場合、曲げ損失が大きく、また曲げ部分におけるクロストークレベルが高くなるという問題がある。コア周囲の屈折率を変化させた構造（トレンチ付ファイバ（trench-assisted fiber））の適用では、曲げ損失、曲げ部分におけるクロストークに伴う問題が部分的に軽減し、概してクロストークレベルが低減する。
【０００６】
ＳＤＭを用いた伝送システムの設計における別の側面として、マルチコア光ファイバを実際のシステムと融合させるため、マルチコア光ファイバのコアを標準的なシングルモード光ファイバと接続する方法を開発する必要がある。これには、特定のコアとの間で信号を入力／出力可能とすることが含まれる。更に、今後計画される伝送システムでは、既存の要素及び技術をできるだけ多く用いることで、そういった新しい伝送システムの実施プロセスの費用対効果を高めると共に、実施プロセスにかかる時間を引き延ばさないようにしなければならない。
【０００７】
トレンチ付ファイバを用いた構造は、例えば非特許文献１によって知られている。コア周囲に低屈折率の層を適用することでコアの離隔が達成され、更に、クロストークレベルを低減するため不均一なコアも用いられる。
【０００８】
また、非特許文献２では、各コアの周囲の６個の空孔によってコア間が離隔された光ファイバが提案されている。しかしながら、この場合の離隔は、コアを広く散在させることなくクロストークを低減するには満足できるものではない。この提案された解決策において１ｋｍ超のレベルのビート長を達成するため、１０μｍ未満のネットワーク定数（隣接孔の中心間の距離）では光ファイバのシングルモード動作を得ることができないが、コアは格子定数の４倍に等しい距離に散在させなければならない。このタイプの光ファイバは「ホールアシストファイバ（hole-assisted fiber）」と呼ばれる。従来の微細構造光ファイバでは、空孔は光伝搬にアクティブに関与し、伝搬の効果を保証するのは、空孔の存在がコア内の光閉じ込めを生じることだけである。「ホールアシスト」タイプの光ファイバでは、適用される微細構造は主として、コア間のクロストークを防止するようにコア相互を離隔しなければならない。原則として「ホールアシスト」ファイバでは、ドーピングされたコアが微細構造の中央に適用され、標準的なシングルモード光ファイバと同じ原理によって光の伝搬を可能とするが、１つの利点として、孔はコア間のクロストークを低減させるが、伝搬機構に大きく関与することはない。
【０００９】
特許文献１により、光伝送システム、マルチコア光ファイバ、及びこのファイバの製造方法は既知である。この発明の出願による伝送システムでは、マルチコア光ファイバの隣接するコアに一連の波長が同時に導入され、従って、波長分割多重化システムと同時に空間多重化システムが用いられる。光ファイバのコアは、複数の孔から成る２つのリングで囲まれている。固定コアを有する光ファイバ（従来の微細構造光ファイバ）の場合、コア内の光伝搬は空孔の存在によって保証される。この解決策の記載において提示された別の変形では、中央にも孔があり、フォトニックバンドギャップの存在に関連して伝搬機構が生じる。この記載による光ファイバでは、コアに最も近い孔のリングを使用しないようにすることは計画されていない。
【００１０】
また、特許文献２が開示する光ファイバ設計では、クラッドが、六方格子の節として作成された多くの孔を有する。この発明による光ファイバは、２０ｍｍの曲げ半径で曲げ損失が５ｄＢ／ｍ未満であることにより特徴付けられる。この発明による光ファイバは、孔の構造が光伝搬を保証する微細構造光ファイバである。高いカップリング値を得るため、コア間に多くの空気層を適用する必要があるので、達成されるチャネル数が少なくなる。また、この記載には光ファイバ配向の構成も開示されている。この構成では１つのコアがシフトされた。そのような構成では、この（シフトされた）コアは伝搬に関与しない。上記記載の伝送システムでは、コア間の干渉を抑えるため、曲げから生じる応力、横応力、又は双方のタイプの応力を発生させる追加要素を適用する必要がある。
【００１１】
また、特許文献３は、テーパ状光ファイバカプラを用いた励起方法を開示する。この場合、前方励起（frontal pumping）を用い、マルチコア光ファイバに接続されたファイバ束からの１本の光ファイバを、励起による信号を伝送する光ファイバで置き換える。また、特許文献４によるデータ伝送システムが開示されている。この場合、マルチコア光ファイバのコア間のカップリングを、モードのカップリングによりサポートされるデータ伝送のために用いるが、コアは離隔されていない。
【００１２】
また、特許文献５には、マルチコア光ファイバ及びコアの配置が開示されている。この構成では、マルチコアファイバは、六方格子の節の各点に配置された多くのシングルコアを含む。これにより、屈折率プロファイルが異なる少なくとも２つのタイプのコアがある。
【先行技術文献】
【特許文献】
【００１３】
【特許文献１】米国特許出願公開第２０１３／０２０９１０６号明細書
【特許文献２】米国特許第２０１３０６４５４３号明細書
【特許文献３】米国特許第２０１１０２７９８８８号明細書
【特許文献４】欧州特許第２３３６８１３号明細書
【特許文献５】欧州特許第２６１０６５６号明細書
【非特許文献】
【００１４】
【非特許文献１】”Reduction of Crosstalk by Trench-Assisted Multi-Core Fiber” OSA/OFC/NFOEC 2011
【非特許文献２】”Multi-Core Hole-Assisted Fibers for High Core Density Space Division Multiplexing” from the Conference on Optoelectronics and telecommunications-OECC 2010
【発明の概要】
【発明が解決しようとする課題】
【００１５】
ＳＭＤを用いたシステムに伴う最も差し迫った問題の中に、隣接伝送チャネル間のクロストーク低減、及びできる限り小さい曲げ損失の達成、光ファイバケーブルの設置を容易にする簡略化に伴う問題がある。
【００１６】
そこで、本発明の目的は、最小のクロストークを保証することができ、伝送損失、曲げ損失、偏光に依存する損失、分散、カットオフ波長、非線形、及び幾何学的パラメータ等のパラメータが標準的なシングルモード光ファイバのパラメータにできる限り近い光ファイバ構造の設計である。同時に、本発明の目的は、クロストーク、分散、カットオフ波長を含むパラメータが曲げ箇所で許容できないほどに変化しない構造の設計である。更に、本発明の目的は、本発明によるマルチコア光ファイバを標準的なシングルモード光ファイバと接続するための装置の製造方法を拡大及び設計し、マルチコア光ファイバの特定のコアの正確な指定及びこの特定のコアからの信号の受信を保証する、受動的なもの及び能動的のものの双方の、ある範囲に渡ったコンパチブルな解決策の設計である。特定の要素、すなわち本発明による受動的及び能動的の双方のマルチコア光ファイバ、並びに上記の要素に専用の、マルチコア光ファイバのコアを標準的なシングルモード光ファイバと接続するために用いる装置の使用について、以下の実施例に提示する。本発明の目的は、例えばスタックアンドフロー方法のような既知の経済的に正当化される方法によって製造することができる構造の設計である。更に、本発明の目的は、すでに伝送システムで稼働している装置をできるだけ多く利用し、更に、例えばＥＤＦＡ増幅器及び励起技術のような開示された技術を利用することができる伝送システムコンポーネントの設計である。
【００１７】
微細構造マルチコア光ファイバ、微細構造マルチコア光ファイバのコアを別個に指定するための装置、及び装置を構築する方法は、標準的なシングルモード光ファイバと比較した場合、容量レベルの著しい増大及びクロストークの解消を保証し、同時に伝送損失の最適化と曲げ損失の軽減を図る。
【課題を解決するための手段】
【００１８】
本発明によるマルチコア光ファイバでは、離隔されたコアによって空間的な信号の乗算（multiplication）が可能となる。「離隔されたコア」という言葉は、コア間のクロストークが最小の許容可能レベルに維持される状況として理解するものとする。コアの離隔は、光ファイバ微細構造の特徴によって容易になる。すなわち、本発明による光ファイバでは、クラッドの屈折率に対して屈折率を低下させた空間によってコアを相互に分離させる。この空間は、例えばガス、好ましくは空気又は流体又はポリマーが充填された孔、又は屈折率を低下させることが可能なドーピングを行った別のガラスの空間の形態をとり得る。更に、本発明によるマルチコア光ファイバは、例えばセンサ用途のような電気通信でない用途に用いることも可能である。
【００１９】
本発明による微細構造マルチコア光ファイバに含まれる微細構造エリアには、少なくとも２つの基本セルが埋め込まれている。基本セルの各々は、好ましくは、特にドーピングされた石英ガラスを含むガラス又はポリマーで作製されたコアを含むと共に、その周囲に、クラッドよりも屈折率が低い長手エリアを有する。この長手エリアは、ガス、好ましくは空気又は流体又はポリマーが充填された孔、又は屈折率を低下させることが可能なドーピングを行った別のガラスの空間（孔とも称する）の形態をとり、特に石英ガラスを含むガラス又はポリマーの母材に埋め込むことができる。孔の屈折率は、特に石英ガラス又はポリマーを含むガラス母材よりも低くする。基本セルは、コアの直径Ｄ２、孔の直径Ｄ３、及び格子定数Λに相当する隣接した孔間の距離によって特徴付けられる。孔の中心は六角形の頂点及び辺の中点に局部配置され、この六角形の中心にコアが指定され、孔の中心が作る六角形の辺ｃの長さは、好ましくは格子定数Λの２倍に等しい。並置された少なくとも２つの基本セルは、好ましくはガラス、特に石英ガラス又はポリマーで作製されたクラッドで囲まれている。
【００２０】
コアの外側であって、コア周囲の孔の内側エリアは、好ましくはガラス、特に石英ガラス又はポリマーで作製され、内側クラッドを生成する。孔により作られるエリアは、内側微細構造クラッドを構成する。基本セルの内側微細構造クラッドの外側エリアは外側クラッドで作られる。コアが配置されているエリア、並びに内側クラッド及び内側微細構造クラッドが、共に微細構造エリアを構成する。
【００２１】
上記微細構造の第１の基本セルは、好ましくはマルチコア光ファイバの幾何学的中心に配置され、他の基本セルは、辺又は頂点が第１の基本セルに付着している。相互に並置された他の基本セルがコア周囲の孔を共有すると有利である。
【００２２】
第１の基本セルがマルチコア光ファイバの幾何学的中心に配置されていない場合は、本発明による微細構造エリアの幾何学的な重心をマルチコア光ファイバの幾何学的中心に局部配置すると有利である。
【００２３】
マルチコア光ファイバの外側クラッドの直径Ｄ１は、微細構造に埋め込まれる基本セルの数に応じて自由に選択されるが、好ましくは、最も外側の孔から石英ガラス母材の縁（外側クラッドの縁）までの距離を３０μｍに維持する。
【００２４】
光ファイバの幾何学的中心に基本セルが局部配置された微細構造の場合、この基本セルを取り囲む基本セルが、いわゆる第１のリングを形成する。これらの基本セルが共通の辺を有する場合、第１のリングのコアは六角形の頂点にあり、この六角形の辺ｂは、格子定数の３倍にａを乗算した値に等しい。ここで、ａ＝２／３×√３である。これらの基本セルが頂点を共有する場合、第１のリングのコアは六角形の頂点にあり、六角形の辺ｂは格子定数の４倍の値に等しい。
【００２５】
基本セルのコアに続くリングは、これらの基本セルが共通の辺を有する場合、六角形の頂点及び辺の中点に配置され、この六角形の辺は、格子定数の６倍の値にａを乗算した値に等しい。ここでａ＝２／３×√３である。これらの基本セルが頂点を共有する場合、第１のリングのコアは六角形の頂点に配置され、この六角形の辺ｄは格子定数の８倍の値に等しい。
【００２６】
後続の各リングについて、乗数ａは算術的な増大を示し、リング数が増えた場合は、マルチコア光ファイバの外側クラッドの寸法の拡大を検討しなければならない。
【００２７】
コア材料とクラッド（外側及び内側）材料との間の屈折率の差は、標準的なシングルモード光ファイバにおける屈折率の差に相当し、好ましくは光波長λ＝１５５０ｎｍにおいてΔ＝５．６３×１０−３±２．９×１０−３であると有利である。
【００２８】
上記の好ましいコアとクラッドとの屈折率の差を用いると、特に、格子定数Λが（７．８±３．６）μｍに等しく、光ファイバのコア直径が（０．７±０．４６）×Λに等しく、空気が充填された孔の直径が（０．７±０．３）×Λに等しく、クラッド直径がΛ×１３＋（５０±２０）μｍに等しい７コアファイバで、好ましいファイバ動作を達成することができる。
【００２９】
動作過程で信号増幅を行うアクティブなバージョンで本発明を適用する場合、好ましくは石英ガラスで作製した光ファイバのコアに、好ましくはエルビウムのような希土類のイオンを、３×１０１８／ｃｍ−３〜１２０×１０１８／ｃｍ−３のレベルでドーピングし、これによって、コアとクラッドとの屈折率の差を、好ましくは光波長λ＝１５５０ｎｍにおいてΔ＝２．５×１０−２−２．１×１０−２〜２．５×１０−２＋１．６×１０−２とすることが有利である。
【００３０】
上記のアクティブなバージョンの好ましいコアとクラッドとの屈折率の差を用いると、特に、格子定数Λが（７．８±３．６）μｍに等しく、ファイバコアの直径が（０．５±０．４６）×Λに等しく、空気が充填された孔の直径が（０．６±０．３）×Λに等しく、クラッドの直径がΛ×１３＋（５０±２０）μｍに等しい７コアファイバで、好ましいファイバ動作を達成することができる。
【００３１】
特に、クラッド直径を自由に増大させ得る場合、コア及びクラッドに別の屈折率を採用すると共に、コア又は孔充填材料に別の量及び配置を採用して、好ましい光ファイバ動作のために幾何学的パラメータの変更が必要となる。
【００３２】
アクティブなバージョンで光ファイバを伝送に用いる場合、光ファイバ微細構造を、例えばガス、好ましくは空気又は流体又はポリマーが充填された追加の孔エリア（孔とも称する）で取り囲んで、追加クラッドを設けると有利である。追加の孔エリア（外側微細構造クラッドとも称する）は、微細構造エリアを取り囲む。外側微細構造クラッドは、外側クラッドを２つのエリアに分割する。すなわち、外側微細構造クラッドと微細構造エリアの外側の孔との間に位置する近位外側クラッドのエリアと、外側微細構造クラッドの外側で光ファイバの縁まで位置する遠位外側クラッドのエリアである。
【００３３】
追加クラッドを有する光ファイバの外側微細構造クラッドに含まれる孔は、好ましくは六角形の辺及び頂点上に、又は円上に配置される。これにより、外側微細構造クラッドの孔の直径は格子定数Λよりも小さいことが好ましい。外側微細構造クラッドを構成する孔が六角形の辺及び頂点上にあり、外側微細構造クラッドの孔の中心間の距離が格子定数Λに等しい場合、外側微細構造クラッドに含まれる孔は、好ましくは円形の断面を示し、好ましくは少なくとも３０μｍの距離にある。また、追加クラッドを有する光ファイバの場合、内側微細構造クラッドを構成する孔の直径が、格子定数に比べて好ましくは（２０±１５）％小さいことが好ましい。
【００３４】
光ファイバの切断（cleaving）をある程度容易にすることが好ましく、好ましくは微細構造の基本セルの最も外側の孔を使用せず、及び／又は孔のサイズに自由に差を付ける。接合を容易にするため、光ファイバ構造において、いわゆるマーカ、すなわち、例えば光導波に影響を与えない追加の１つの孔又は複数の孔を用いることが好ましい。
【００３５】
本発明によるマルチコア光ファイバのコアを指定する装置は、好ましくは並列構成でガラス又はポリマーのキャピラリに封入された複数のシングルコアシングルモード光ファイバ（シングルモード光ファイバとも称する）を含む。シングルモード光ファイバの数は、マルチコア光ファイバのコアの数に対応する。シングルモード光ファイバを収容したキャピラリは、他の側からマルチコア光ファイバと、好ましくは本発明による微細構造光ファイバと接続されている。キャピラリ内の光ファイバの断面は、マルチコア光ファイバの断面に対して平行である。
【００３６】
本発明による微細構造光ファイバの全てのコアを指定しない場合、キャピラリ内のシングルモード光ファイバを、シングルモード光ファイバの直径に等しい直径を有するガラスロッドで置き換えてもよい。キャピラリ内のガラスロッドの数は、シングルモード光ファイバに接続されないマルチコア光ファイバのコア数に対応する。システム製造の別の例では、本発明によるマルチコア光ファイバのコアの数又は配置が、中央のマルチコア光ファイバのコアの周りに閉じたリングの構造を構成しない場合、ガラスロッドは、本発明によるマルチコア光ファイバのコアを指定するための装置構造の充填材となる。
【００３７】
ガラス又はポリマーのキャピラリは、長手方向の伸張と組み合わせて、温度の影響下で幾何学的寸法が変化しやすい材料で作製される。キャピラリの長さは、好ましくは光ファイバ要素の加工／接続工程で、フィラメント接続機（filament splicer）に基づいて加熱しながら延伸する装置に搭載できるように適宜選択される。ガラスキャピラリは、ドーピングされていない石英ガラスで作製することが好ましい。
【００３８】
コアを指定するための装置の製造方法は、以下のものを含む。
１．マルチコア光ファイバの構造を解析し、マルチコア光ファイバのコアの数、コアの直径、及びコア間の距離を求める。
２．マルチコア光ファイバを接続するシングルモード光ファイバのコア及びクラッドの直径を測定し、シングルモード光ファイバのテーパ化の程度を決定する。
３．シングルモード光ファイバのクラッドを除去し、その表面を洗浄する。
４．実行され得るテーパ化及び相互再組み立ての後で、マルチコア光ファイバのコアとシングルモード光ファイバのコアとの位置合わせが可能となるように、シングルモード光ファイバの露出した洗浄済みの部分（fragment）を、好ましくはフッ化水素酸によりエッチングする。
５．計算したテーパ化の程度に従ってシングルモード光ファイバをテーパ化して、マルチコア光ファイバのコア直径の寸法に等しいコア直径を達成可能とする（これが好ましい場合）。
６．シングルモード光ファイバ及びガラスロッドを挿入することができ、挿入された要素が自由に動けないか又は動きが制限されるようなサイズにテーパ化することによって、キャピラリを準備する。
７．シングルモード光ファイバ及びガラスロッドをキャピラリ内に収容する。
８．加熱及び伸張によってキャピラリ内に収容し接合した構造物をテーパ化及び固定すると共に、必要ならばマルチコア光ファイバもテーパ化する。
９．ファイバを制御しつつ延伸可能としながら、好ましくは様々な外径及び内部構造を有する光ファイバ用カッターを用いて、長手方向のキャピラリの軸に対して直角に、接合した構造物を収容したキャピラリを切断する。好ましくはキャピラリ表面を、キャピラリ内に収容した構造物と共に研磨する。
１０．マルチコア光ファイバを切断し、好ましくはその表面を研磨する。
１１．キャピラリ及び内部に収容され接合された構造物をマルチコア光ファイバに対して配向する。
１２．いずれかの開示する技術、好ましくは接合によって、キャピラリ及びその内部の構造物にマルチコア光ファイバを接続する。
【００３９】
エッチングプロセスは、好ましくは約４０％の濃度のフッ化水素酸を用いて、好ましくは２１℃の温度で実行する。
【００４０】
キャピラリ及びその内部構造物のテーパ化は、キャピラリが収容された光ファイバと共にその内部構造物に固定されるように行うのが好ましい。
【００４１】
シングルモード光ファイバの直径が、本発明によるマルチコア光ファイバのコア間の距離よりも著しく大きい場合、技術動作シーケンスにおいてテーパ化及びエッチングの動作を変更することが好ましい。接続される光ファイバの幾何学的形状に応じて、エッチング及びテーパ化の少なくともいずれか一方の段階を省いてもよい。
【００４２】
マルチコア光ファイバのコアがシングルモード光ファイバのコアとは異なる直径を有する場合、テーパ化プロセスは、キャピラリに内部構造物として収容されたシングルモード光ファイバのコアの直径がマルチコア光ファイバのコアの直径と等しくなるまで継続する（幾何学的に実現不可能でない限り）。好ましくは、直径が等しくならないようにして、接続された要素のコア間で等しい空間を達成するように努めるのが望ましい。また、本発明による光ファイバの直径が、これに接続されるシングルモード光ファイバの直径よりも大きい場合は、シングルモード光ファイバをキャピラリ内でテーパ化した後、本発明による光ファイバもテーパ化することが好ましい。
【００４３】
マルチコア光ファイバ及びキャピラリ内の構造物の配向は、好ましくは、マルチコア光ファイバのコアの１つに光が送出されるように行われると共に、融着しながら、キャピラリ内のシングルモード光ファイバの１本にパワーのどの部分が伝達されたかを調べることによって、組み立てられる融着接合を制御するように行う。別の組立例では、キャピラリ内のシングルモード光ファイバの１本に光が送出されると共に、融着しながら、マルチコア光ファイバのコアの１つにパワーのどの部分が伝達されたかを調べる。
【００４４】
接合は、いずれかに開示するガラスプロセッサ、好ましくはガラス加工台を用いて実行される。外径が２５０μｍ以下のマルチコア光ファイバでは、フィラメント融着機を用いることが好ましく、直径がもっと大きい場合は、フィラメント融着機に基づいて光ファイバ要素を加工／接続するための台上で融着を実行することが好ましい。また、シングルモード光ファイバ、キャピラリ、及び内部構造物が収容されたキャピラリのテーパ化を、フィラメント融着機を用いて、又はフィラメント融着機に基づく光ファイバ加工／接続台を用いて実行することが好ましい。
【００４５】
接合しながら、マルチコア光ファイバの直径及び内部構造物を含むキャピラリの幾何学的形状に応じて、ガラス加工台の加熱要素のパワーは、光学損失が小さく耐久性の高い機械的接続を保証するレベルに選択する。フィラメントパワーレベルに関係した特定のファイバ直径、融着時間、融着前の遅延、光ファイバ相互のシフト距離、及び光ファイバ間の距離についての設定値は、融着の前に実験的に選択される。
【００４６】
信号増幅の必要がない短い導波（guidance）距離の場合、本発明による微細構造導波マルチコア光ファイバは、コアを指定するための２つの装置の間に配置される。これらの装置の一方は、送信器と標準的なシングルモード光ファイバとを用いて信号を特定のコアに送出することができ、第２の装置は、特定のコアからの信号を受信し、これを標準的なシングルモード光ファイバを介して再び送出することができる。
【００４７】
信号増幅が必要である伝送距離の場合、伝送システムを以下のように構成することが好ましい。送信器からの信号を、シングルモード光ファイバを介して、コアを指定するための装置に送信する。次いでこの信号を、本発明による微細構造ファイバを介して導波する。増幅が必要とされる距離である場合、１つの電気通信ライン内で循環的に、増幅モジュールを設置する。増幅モジュールを用いた光増幅の後、信号は、本発明による微細構造マルチコア光ファイバを介して更に導波される。コアを指定するための装置によって、特定のコアからの信号をシングルモード光ファイバに送出する。このようにして信号を受信器まで伝送する。増幅モジュールは２つの指定装置から成る。その一方は、微細構造マルチコア光ファイバの特定のコアからの信号をシングルモード光ファイバに送出し、他方は、光ファイバからの信号を微細構造マルチコア光ファイバのコアに伝達することができる。このモジュールでは、シングルモード光ファイバを介した信号導波ライン上に、一体型の光ファイバ増幅要素がある。このような要素は、例えば市販のエルビウムドープファイバ増幅器（ＥＤＦＡ）とすればよい。
【００４８】
また、追加クラッドが適用された本発明による微細構造アクティブマルチコア光ファイバを用いて増幅を行うことも可能である。これにより、横励起として、又は本発明による微細構造アクティブマルチコア光ファイバの前面からの励起として、励起を実行することができる。横励起及び前面励起の技術は開示されており、伝送システムのこの変形に適用するために何の変更も必要ない。直接励起を用いる伝送システムの変形は、送信器からの信号を、標準的なシングルモード光ファイバを介して、本発明による個別コア指定装置に導波するという特徴がある。次いで信号を、本発明による微細構造マルチコア光ファイバを介して導波する。信号増幅が必要な距離を信号伝送する場合、増幅モジュールを用いる（また、１つの電気通信ライン内で循環的に）。増幅モジュールにおいて、本発明による微細構造マルチコア光ファイバは、いずれかの開示技術によって、本発明による微細構造アクティブマルチコア光ファイバに接続されている。この接続は、光ファイバ（複数の光ファイバ）励起を用いる開示技術によって、追加クラッドを有する変形の本発明による微細構造アクティブマルチコア光ファイバの励起を可能とする。次に、本発明による追加クラッドを有する微細構造アクティブマルチコア光ファイバにおいて信号を増幅する。次いで、本発明による微細構造アクティブマルチコア光ファイバを、本発明による微細構造マルチコア導波光ファイバに接合する。次いで、本発明による光ファイバを介して導波された信号を、個別コア指定装置に送出する。このステップの後、特定のコアからの信号を、標準的な光ファイバを介して受信器に送信する。
【００４９】
また、本発明による微細構造マルチコア光ファイバと本発明による微細構造アクティブマルチコア光ファイバの双方を用いて、他の伝送システムを製造することも可能である。
【図面の簡単な説明】
【００５０】
本発明による微細構造光ファイバを図面に示す。
【図１】好ましい製造例における本発明による光ファイバの断面図である。
【図２】基本セルの配置について他の有利な変形例を示す説明図である。
【図３】別の好ましい製造例における光ファイバの断面図である。
【図４】別の好ましい製造例における光ファイバの断面図である。
【図５】別の好ましい製造例における光ファイバの断面図である。
【図６】別の好ましい製造例における光ファイバの断面図である。
【図７】追加クラッドを有する本発明による光ファイバを示す説明図である。
【図８】別の追加クラッド構成における追加クラッドを有する本発明に従った光ファイバを示す。
【図９】別の追加クラッド構成における追加クラッドを有する本発明による光ファイバを示す説明図である。
【図１０】キャピラリ内に配置されたシングルモード光ファイバの断面図である。
【図１１】マルチコア光ファイバと内部光ファイバ構造物を含むキャピラリとの並置を概略的に示す説明図である。
【図１２】好ましい製造例における本発明による微細構造マルチコア光ファイバを用いた導波システムを示す説明図である。
【図１３】別の好ましい製造例における本発明による微細構造マルチコア光ファイバを用いた導波システムを示す説明図である。
【図１４】別の好ましい製造例における本発明による微細構造マルチコア光ファイバを用いた導波システムを示す説明図である。
【図１５】好ましいマーカ位置を有する本発明による光ファイバを示す説明図である。
【図１６】好ましい製造例における別の好ましいマーカ位置を有する本発明による光ファイバを示す説明図である。
【発明を実施するための形態】
【００５１】
（実施例１）
本発明による伝送用の微細構造マルチコア光ファイバ、及び本発明による微細構造マルチコア導波光ファイバは、基本セルが埋め込まれた微細構造エリアを含む。基本セルの各々は、ドーピングされた石英ガラスのコアを含むと共に、その周囲に、空気が充填され、石英ガラス母材内に配置された長手方向の孔を有する。
【００５２】
コア材料とクラッド材料（内側及び外側の双方）との間の屈折率の差は、光波長λ＝１５５０ｎｍにおいてΔ＝５．２×１０−３±０．５×１０−３である。
【００５３】
基本セルは、コア直径Ｄ２、孔直径Ｄ３、及び隣接した孔の中心間の距離に相当する格子定数Λによって特徴付けられる。孔の中心は六角形の頂点及び辺の中点に配置され、この六角形の中心にコアが指定され、孔の軸により作られる六角形の辺ｃの長さは、格子定数Λの２倍の値に等しい。微細構造エリア内で並置された基本セルは、外側クラッドで覆われている。
【００５４】
微細構造の第１の基本セルは、マルチコア光ファイバの幾何学的中心に配置され、他の基本セルは辺が第１の基本セルに付着している。相互に並置された他の基本セルは、コア周囲の孔を共有する。
【００５５】
光ファイバの幾何学的中心に配置された基本セルを取り囲む基本セルは、いわゆる第１のリングを構成する。第１のリングのコアは六角形の頂点に位置し、この六角形の辺ｂは、格子定数の３倍にａを乗算した値に等しい。ここで、ａ＝２／３×√３である。
【００５６】
光ファイバの幾何学的パラメータは以下のように決定する。
・クラッド４．１の外径Ｄ１は（１４６．４±５）μｍである。
・コア２．１の直径Ｄ２は（８．２±０．５）μｍである。
・孔３．１の直径Ｄ３は（７．７±０．２）μｍである。
・格子定数Λは（８．２±０．５）μｍである。
【００５７】
この製造例では、マルチコア光ファイバのコアの直径は、標準的なシングルモード光ファイバのコアの直径とほぼ等しい。
【００５８】
本発明による微細構造マルチコア導波光ファイバのコアを指定するための装置は、キャピラリに封入されて本発明による微細構造マルチコア光ファイバを介して接続された７本の標準的なシングルモード光ファイバを含む。キャピラリ内の光ファイバの断面は、マルチコア光ファイバの断面に対して平行である。
【００５９】
キャピラリは、長手方向の伸張と組み合わせて、温度の影響下で幾何学的寸法が変化しやすい材料で作製する。キャピラリはドーピングされていない石英ガラスで作製される。
【００６０】
コアを指定するための装置の製造方法は、以下の通りである。
１．マルチコア光ファイバの構造を解析し、マルチコア光ファイバのコアの数、コアの直径、及びコア間の距離を求める。
２．マルチコア光ファイバを接続するシングルモード光ファイバのコアＳ．１及びクラッドＳ．２の直径を測定し、シングルモード光ファイバのテーパ化の程度を決定する。
３．シングルモード光ファイバのクラッドを除去し、その表面を洗浄する。
４．シングルモード光ファイバの露出した洗浄済みの部分を、好ましくはフッ化水素酸によりエッチングし、マルチコア光ファイバのコアとシングルモード光ファイバのコアとの位置合わせを可能とする。
５．決定したテーパ化の程度に従ってシングルモード光ファイバをテーパ化して、マルチコア光ファイバのコアの直径の寸法に等しいコアの直径を実現し得るようにする。
６．シングルモード光ファイバ及びガラスロッドを挿入することができ、挿入された要素が自由に動けないか又は動きが制限されるようなサイズにテーパ化することによって、キャピラリＳ．３を準備する。
７．シングルモード光ファイバ及びガラスロッドをキャピラリ内に収容する。
８．加熱及び伸張によってキャピラリ内に収容し接合した構造物をテーパ化及び固定すると共に、マルチコア光ファイバもテーパ化する。
９．ファイバを制御しつつ延伸可能としながら、様々な外径及び内部構造を有する光ファイバ用カッターを用いて、長手方向のキャピラリの軸に対して直角に、上記接合した構造を収容するキャピラリを切断する。
１０．マルチコア光ファイバを切断する。
１１．キャピラリ及び内部に収容され接合された構造物をマルチコア光ファイバに対して配向する。
１２．融着によって、キャピラリ及びその内部構造物にマルチコア光ファイバを接続する。
【００６１】
７個のコアを有するマルチコア光ファイバを標準的なシングルモード光ファイバ（７本）に接続する際に、マルチコア光ファイバのコア数、マルチコア光ファイバのコア直径（８．２μｍ）、マルチコア光ファイバのコア間の距離（約２８μｍ）を決定する必要がある。シングルモード光ファイバのクラッドの直径（約１２５μｍ）、及びマルチコア光ファイバのクラッドの直径（約１４６μｍ）を決定する。
【００６２】
エッチングは、４０％濃度のフッ化水素酸を用いて２１℃で実行する。約６３μｍ／ｈのエッチングレートによって、約４６分間以内にシングルモード光ファイバの必要な直径である２８μｍを達成することができる。
【００６３】
初期内径が２００μｍであり外径が２８６μｍであるキャピラリを、それぞれ対応する８９μｍ及び１２７μｍの寸法までテーパ化する。
【００６４】
８９μｍ／１２７μｍにテーパ化したキャピラリ内に、エッチングしたシングルモード光ファイバを入れていき、１つのキャピラリ内に７本の光ファイバを収容する。
【００６５】
キャピラリ及びその内部構造物のテーパ化は、キャピラリが収容された光ファイバと共に内部構造物に固定されるように行う。従って、キャピラリは、エッチングしたシングルモード光ファイバと共に、８９μｍ／１２７μｍのサイズから７２μｍ／１０３μｍのサイズまでテーパ化される。
【００６６】
キャピラリ及びその内部に収容され接合された構造物のテーパ化プロセスの間に、光ファイバのコアも直径が縮小し（７μｍまで）、コア間の距離も２４μｍまで縮小するので、マルチコア光ファイバもテーパ化しなければならない。マルチコア光ファイバは、コア直径が約７μｍの値に達するまで（すなわちクラッド直径が約１２５μｍになるまで）テーパ化する。
【００６７】
キャピラリを、内部に接合されエッチングされた光ファイバと共に切断した後、更にテーパ化したマルチコア光ファイバも切断した後、マルチコアファイバ及びキャピラリ内の構造物の配向を行う。これは、マルチコア光ファイバの外側コアの１つに光が送出されるように行い、更に、融着の間に、キャピラリ内のシングルモード光ファイバの１本にパワーのどの部分が伝達されたかを調べて行う。
【００６８】
シングルモード光ファイバ、キャピラリ、及び内部に接合された構造物が収容されているキャピラリのテーパ化は、光ファイバ要素の加工／接続に用いられるＶｙｔｒａｎ  ＧＰＸ−３４００フィラメント融着機によって実行される。
【００６９】
融着の間、マルチコア光ファイバの直径及び内部構造物を含むキャピラリの幾何学的形状に応じて、ガラス加工台の加熱パワーは、機械的に耐久性が高く、光学損失が小さい接続が得られるように選択する。Ｖｙｔｒａｎ  ＧＰＸ−３４００ガラス加工台の光ファイバ要素加工／接続の予め設定された値は以下の通りである。
【００７０】
【表１】
2017504053.tif 000003
【００７１】
空間的な乗算を用いた、本発明による微細構造マルチコア導波光ファイバを使用した信号伝送方法は、開示した伝送システムに対する代替案である。マルチコア光ファイバを用いた伝送方法は、本発明による微細構造マルチコア導波光ファイバを主な導波媒体として用いる。マルチコア光ファイバにおいてコアを指定する問題は、本発明による微細構造マルチコア光ファイバのコアを個別に指定するための装置及び技法を用いることで解決される。
【００７２】
増幅の必要がない短い伝送距離の場合（図１２を参照）、本発明による微細構造マルチコア導波光ファイバ１は、コアを指定するための２つの装置３及び４の間に配置される。これらの装置の一方は、送信器５と標準的なシングルモード光ファイバ２とによって信号を特定のコアに送出することができ、第２の装置４は、特定のコアからの信号を受信し、これを標準的なシングルモード光ファイバ２を介して受信器６に送出することができる。
【００７３】
信号増幅が必要である伝送距離の場合は、以下のように構成される（図１３を参照）。送信器５からの信号を、シングルモード光ファイバ２を介して、コア指定装置３に導波する。次いでこの信号を、本発明による微細構造ファイバ１を介して導波する。増幅が必要な距離上に、１つの電気通信ライン内で多数回の繰り返しが可能である増幅モジュール７を設置する。モジュール７による光増幅の後、信号は、本発明による微細構造マルチコア導波光ファイバを介して更に導波される。コア指定装置４を用いて、特定のコアからの信号をシングルモード光ファイバ２に送出する。このようにして信号を受信器６まで送達する。増幅モジュール７は、２つのコア指定装置４’及び３’から成る。そのうち第１の装置４’は、本発明による微細構造マルチコア光ファイバの特定のコアからの信号をシングルモード光ファイバ２に送出し、第２のコア指定装置３’は、光ファイバ２からの信号を微細構造マルチコア光ファイバ１のコアに送出する。この増幅モジュール７では、シングルモード光ファイバ２を介した信号導波ライン上に、一体型の光ファイバ増幅要素８がある。このような要素８は、例えば市販のエルビウムドープファイバ増幅器（ＥＤＦＡ）とすればよい。
【００７４】
（実施例２）
本発明による微細構造マルチコア光ファイバは、基本セルが埋め込まれた微細構造エリアを含む。基本セルの各々は、ドーピングされた石英ガラスのコアを含むと共に、その周囲に、空気が充填され、石英ガラス母材内に配置された長手方向の孔を有する。
【００７５】
コア材料とクラッド材料（内側及び外側の双方）との間の屈折率の差は、光波長λ＝１５５０ｎｍにおいてΔ＝５．２×１０−３±０．５×１０−３である。
【００７６】
基本セルは、コア直径Ｄ２、孔直径Ｄ３、及び隣接した孔の中心間の距離に相当する格子定数Λによって特徴付けられる。孔の中心は六角形の頂点及び辺の中点に配置され、この六角形の中心にはコアが指定され、孔の軸によって作られる六角形の辺ｃの長さは格子定数Λの２倍の値に等しい。微細構造エリア内で並置された基本セルは、外側クラッドで覆われている。
【００７７】
微細構造の第１の基本セルはマルチコア光ファイバの幾何学的中心に配置され、他の基本セルは辺が第１の基本セルに付着している。相互に並置された他の基本セルは、コア周囲の孔を共有する。
【００７８】
光ファイバの幾何学的中心に配置された基本セルを取り囲む基本セルは、いわゆる第１のリングを構成する。第１のリングのコアは六角形の頂点に位置し、この六角形の辺ｂは、格子定数の３倍にａを乗算した値に等しい。ここで、ａ＝２／３×√３である。
【００７９】
光ファイバの幾何学的パラメータは以下のように決定する。
・クラッド４．１の外径Ｄ１は（１２５±５）μｍである。
・コア２．１の直径Ｄ２は（７±０．５）μｍである。
・孔３．１の直径Ｄ３は（６．６±０．１）μｍである。
・格子定数Λは（７±０．５）μｍである。
【００８０】
この製造例では、マルチコア光ファイバのクラッドの直径は、標準的なシングルモード光ファイバのクラッドの直径とほぼ等しい。
【００８１】
本発明による微細構造アクティブマルチコア光ファイバは、基本セルが配置された微細構造エリアを含む。基本セルの各々は、石英ガラスのコアを有すると共に、その周囲に、空気が充填された１２個の長手方向の孔を有する。これらの孔は、石英ガラス母材に配置されている。コア材料とクラッド材料（内側及び外側の双方）との間の屈折率の差は、光波長λ＝１５５０ｎｍにおいて２．５×１０−２±０．５×１０−２である。これにより、コアは、約２０×１０１８／ｃｍ−３〜約１００×１０１８／ｃｍ−３までのレベルでエルビウムがドーピングされている。
【００８２】
基本セルは、コア直径Ｄ２、孔直径Ｄ３、及び格子定数Λに相当する孔間の距離によって特徴付けられる。
【００８３】
孔の中心は六角形の頂点及び辺の中点に配置され、この六角形の中心にはコアが指定され、孔の軸によって作られる六角形の辺ｃの長さはネットワーク定数Λの２倍に等しい。微細構造エリア内に配置された基本セルは、外側クラッドで囲まれている。
【００８４】
微細構造の第１の基本セルは、好ましくはマルチコア光ファイバの幾何学的中心に配置され、他の基本セルは、辺又は頂点が第１の基本セルに付着している。相互に並置された他の基本セルは、コア周囲の孔を共有する。
【００８５】
光ファイバの幾何学的中心に配置された基本セルを取り囲む基本セルは、いわゆる第１のリングを構成する。第１のリングのコアは六角形の頂点に位置し、この六角形の辺ｂは、格子定数の３倍にａを乗算した値に等しい。ここで、ａ＝２／３×√３である。
【００８６】
本発明による光ファイバは、基本セルにより生成された微細構造エリアの周囲に追加グループの孔を配置することによって、追加クラッドが設けられている。
【００８７】
追加クラッドを有する光ファイバの外側微細構造クラッドの一部である孔は、半径Ｄ４の円上に配置されている。これにより、外側微細構造クラッドの孔の直径Ｄ５の大きさは、ネットワーク定数Λよりも小さいことが好ましい。外側微細構造クラッドの孔は、円形の断面を示し、ファイバの縁から少なくとも３０μｍの距離に配置されている。
【００８８】
追加クラッドを有する７コア光ファイバの寸法は以下の通りである。
・クラッド４．１の外径Ｄ１は（１５１±５）μｍである。
・コア２．１の直径Ｄ２は（２．９±０．５）μｍである。
・孔３．１の直径Ｄ３は（５．５±０．５）μｍである。
・格子定数Λは（７±０．５）μｍである。
・追加クラッドの半径Ｄ４は（９０±２）μｍである。
・追加クラッドを生成する孔５．１の直径Ｄ５は（６±０．５）μｍである。
【００８９】
本発明による微細構造マルチコア光ファイバのコア指定のための装置は、キャピラリ内に配置されて本発明による微細構造マルチコア光ファイバに接続された７本の標準的なシングルモード光ファイバを有する。キャピラリ内の光ファイバの断面は、マルチコア光ファイバの断面に対して平行である。
【００９０】
キャピラリは、長手方向の伸張と組み合わせて、温度の影響下で幾何学的寸法が変化しやすい材料で作製する。キャピラリはドーピングされていない石英ガラスで作製される。
【００９１】
コア指定装置の製造方法（動作シーケンス１〜１２）は、実施例１のものと同一である。７個のコアを有するマルチコア光ファイバを標準的なシングルモード光ファイバと接続する際に、以下のパラメータを規定する。すなわち、マルチコア光ファイバ１のコア数（７）、マルチコア光ファイバのコア直径（７μｍ）、マルチコア光ファイバのコア間の距離（約２４μｍ）である。シングルモード光ファイバのクラッドの直径（約１２５μｍ）、及びマルチコア光ファイバのクラッドの直径（約１２５μｍ）を決定する。
【００９２】
エッチングは、２０％濃度のフッ化水素酸を用いて２１℃で実行する。約１５μｍ／ｈのエッチングレートによって、約１５８分間以内にシングルモード光ファイバの必要な直径である２８μｍを達成することができる。
【００９３】
初期内径が２００μｍであり外径が２８６μｍであるキャピラリを、それぞれ対応する８９μｍ及び１２７μｍの寸法までテーパ化する。
【００９４】
８９μｍ／１２７μｍにテーパ化したキャピラリ内に、エッチングしたシングルモード光ファイバを入れていき、１つのキャピラリ内に７本の光ファイバを収容する。
【００９５】
キャピラリ及びその内部構造物のテーパ化は、キャピラリが収容された光ファイバが共に内部構造物に固定されるように行う。従ってキャピラリは、エッチングしたシングルモード光ファイバと共に、８９μｍ／１２７μｍのサイズ〜７２μｍ／１０３μｍのサイズまでテーパ化される。
【００９６】
キャピラリを、内部で接合されエッチングされた光ファイバと共に切断した後、更にテーパ化したマルチコア光ファイバも切断した後、マルチコア光ファイバ及びキャピラリ内の構造物の配向を行う。これは、マルチコア光ファイバの外側コアの１つに光が送出されるように行い、更に、融着しながら、キャピラリ内のシングルモード光ファイバの１本にパワーのどの部分が伝達されたかを調べて行う。
【００９７】
シングルモード光ファイバ、キャピラリ、及び内部に接合された構造物が収容されているキャピラリのテーパ化は、光ファイバ要素の加工／接合に用いられるＶｙｔｒａｎ  ＧＰＸ−３４００フィラメント融着機によって実行される。
【００９８】
融着しながら、マルチコア光ファイバの直径及び内部構造物を含むキャピラリの幾何学的形状に応じて、ガラス加工台の加熱パワーは、機械的に耐久性が高く、光学損失が小さい接合が得られるように選択される。Ｖｙｔｒａｎ  ＧＰＸ−３４００フィラメント融着機の光ファイバ要素加工／接合の予め設定された値は以下の通りである。
【００９９】
【表２】
2017504053.tif 000004
【０１００】
空間的な乗算を用いた、本発明による微細構造マルチコア導波光ファイバを使用した信号伝送方法は、開示した伝送システムに対する代替案である。マルチコア光ファイバを用いた伝送方法は、本発明による微細構造マルチコア導波光ファイバを主な導波媒体として用いる。マルチコア光ファイバにおいてコアを指定する問題は、本発明による微細構造マルチコア光ファイバのコアを個別に指定するための装置及び技法を用いることで解決される。
【０１０１】
信号増幅が必要である伝送距離の場合には、以下のように構成される（図１４を参照）。
【０１０２】
伝送の間、追加クラッドを有する変形の本発明による微細構造アクティブマルチコア光ファイバに、励起が直接行われる。これにより、横励起として、又は追加クラッドを有する変形の本発明による微細構造アクティブマルチコア光ファイバの前面からの励起として、励起を実行することができる。横励起及び前面励起の技術は開示されており、導波システムのこの変形に適用するために何の変更も必要ない。直接励起を用いる導波システムの変形は、送信器５からの信号を、標準的なシングルモード光ファイバ２を介して、本発明による個別コア指定装置３に導波するという特徴がある。次いで信号を、本発明による微細構造マルチコア光ファイバ１を介して導波する。
【０１０３】
信号増幅が必要とされる距離を信号伝送する場合、増幅モジュール７を用いる（また、１つの電気通信ライン内で循環的に）。要素９内で、追加クラッド１’を有する変形における本発明の開示された技術により、励起光ファイバ（複数の光ファイバ）１０’を用いると共に、光ファイバ１’及び伝送光ファイバ１の融着接合を用いて、微細構造アクティブマルチコア光ファイバに励起を行う。具体的には、アクティブファイバを励起する側は、本発明の機能的本質には重要でない。追加クラッド１’を有する変形の本発明による微細構造アクティブマルチコア光ファイバにおいて、信号を増幅する。この光ファイバは、スプライス接続１１を介して、本発明による微細構造マルチコア光ファイバ１に接続されている。光ファイバ１を介して導波された信号を、次いで本発明による個別コア指定装置４に送出し、このステップの後、特定のコアからの信号を、標準的な光ファイバ２を介して受信器６に送信する。
【図１】
2017504053.tif 000005
【図２】
2017504053.tif 000006
【図３】
2017504053.tif 000007
【図４】
2017504053.tif 000008
【図５】
2017504053.tif 000009
【図６】
2017504053.tif 000010
【図７】
2017504053.tif 000011
【図８】
2017504053.tif 000012
【図９】
2017504053.tif 000013
【図１０】
2017504053.tif 000014
【図１１】
2017504053.tif 000015
【図１２】
2017504053.tif 000016
【図１３】
2017504053.tif 000017
【図１４】
2017504053.tif 000018
【図１５】
2017504053.tif 000019
【図１６】
2017504053.tif 000020
【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
複数の基本セルを内包する微細構造を備えた微細構造マルチコア光ファイバであって、
前記基本セルの各々は、
クラッド（４．１）のファイバ材料の屈折率よりも屈折率が低いガラス、特にドーピングされた石英ガラス、又はポリマーから作られたコア（２．１）と、
クラッド（４．１）のファイバ材料の屈折率よりも屈折率が低く、ガス、特に空気、又は流体又はポリマー又は別のガラスを充填した孔の形態をとることができ、格子定数Λの距離内に存在する長手領域（３．１）と、
を含んでおり、
前記コアを取り囲む前記長手領域（３．１）を辺の長さが格子定数Λの２倍に等しい六角形の外周上に配置し、前記コア（２．１）を前記長手領域（３．１）によって作られる六角形の中心に有する少なくとも２つの基本セルを含むことを特徴とする、微細構造マルチコア光ファイバ。
【請求項２】
隣接する前記基本セルがコア（２．１）を取り囲む長手領域（３．１）を共有することを特徴とする、請求項１に記載の光ファイバ。
【請求項３】
内側の前記コア（２．１）の材料と外側の前記クラッド（４．１）の材料との間の屈折率の差が、光波長λ＝１５５０ｎｍにおいてΔ＝５．６３×１０−３±２．９×１０−３に等しいことを特徴とする、請求項１又は２に記載の光ファイバ。
【請求項４】
前記格子定数Λが（７．８±３．６）μｍに等しく、ファイバコア直径が（０．７±０．４６）×Λに等しく、空気が充填された孔の直径が（０．７±０．３）×Λに等しく、前記クラッド直径がΛ×１３＋（５０±２０）μｍに等しいことを特徴とする、請求項１〜３のいずれか１項に記載の光ファイバ。
【請求項５】
増幅を伴う信号伝送に適用する場合、前記光ファイバの前記コア（２．１）に希土類のイオンをドーピングすることを特徴とする、請求項１〜４のいずれか１項に記載の光ファイバ。
【請求項６】
前記コア（２．１）に、３×１０１８／ｃｍ−３〜１２０×１０１８／ｃｍ−３のレベルでエルビウムをドーピングし、これによって、前記コア（２．１）と前記クラッド（４．１）との間の屈折率の差が、光波長λ＝１５５０ｎｍにおいてΔ＝２．５×１０−２−２．１×１０−２〜２．５×１０−２＋１．６×１０−２となることを特徴とする、請求項５に記載の光ファイバ。
【請求項７】
前記格子定数Λが（７．８±３．６）μｍに等しく、ファイバコア直径が（０．５±０．４６）×Λに等しく、空気が充填された孔の直径が（０．６±０．３）×Λに等しく、前記クラッド直径がΛ×１３＋（５０±２０）μｍに等しいことを特徴とする、請求項５又は６に記載の光ファイバ。
【請求項８】
前記光ファイバの前記微細構造が、ガス、特に空気、又は流体又はポリマー、又は屈折率を低下させることが可能なドーピングを行った別のガラスが充填され、外側微細構造クラッドと称する追加クラッドを構成する追加の領域（５．１）で取り囲まれていることを特徴とする、請求項５〜７のいずれか１項に記載の光ファイバ。
【請求項９】
追加クラッドを有する前記光ファイバの前記外側微細構造クラッドの一部である前記領域（５．１）が六角形及び円形から選択された形態の外周上に配置されていることを特徴とする、請求項８に記載の光ファイバ。
【請求項１０】
前記光ファイバの自由に選択された基本セル（複数の基本セル）が前記長手領域（３．１）によって部分的に囲まれていることを特徴とする、請求項１〜９のいずれか１項に記載の光ファイバ。
【請求項１１】
前記光ファイバの自由に選択された基本セル（複数の基本セル）が、直径の異なる前記長手領域（３．１）によって部分的に囲まれていることを特徴とする、請求項１〜１０のいずれか１項に記載の光ファイバ。
【請求項１２】
前記光ファイバの前記構造において、屈折率が低い追加の領域の形態をとった、特に１つ又は複数の孔であり、光導波に影響を与えない、１つ又は複数のいわゆるマーカ（６．１）があることを特徴とする、請求項１〜１１のいずれか１項に記載の光ファイバ。
【請求項１３】
請求項１〜１２のいずれか１項に記載のマルチコア光ファイバのコアを指定するための装置において、キャピラリ（Ｓ．３）内に並列配置された複数のシングルコアシングルモード光ファイバ（シングルモード光ファイバとも称する）を、前記マルチコア光ファイバの前記コア（２．１）の数に対応した数だけ含み、前記シングルモード光ファイバを収容した前記キャピラリ（Ｓ．３）が、前記マルチコア光ファイバに接続され、前記キャピラリ内の前記光ファイバの断面及び前記マルチコア光ファイバの断面が、それらの構成において平行であることを特徴とする、装置。
【請求項１４】
前記シングルモード光ファイバを収容した前記キャピラリ（Ｓ．３）内に、前記マルチコア光ファイバの接続されないコアの数に対応した数のガラスロッドがあることを特徴とする、請求項１３に記載の装置。
【請求項１５】
前記キャピラリ（Ｓ．３）が、長手方向の伸張と組み合わせて、温度の影響下で幾何学的寸法が変化しやすい、ドーピングされていない石英ガラス及びポリマーから選択された材料で作製されていることを特徴とする、請求項１３又は１４に記載の装置。
【請求項１６】
請求項１〜１２のいずれか１項に記載の微細構造マルチコア光ファイバのコアを個別に指定するための装置の製造方法であって、
１．前記マルチコア光ファイバのコアの数、コアの直径、及びコア間の距離を求めて前記マルチコア光ファイバの構造を解析すること、
２．前記マルチコア光ファイバを接続するシングルモード光ファイバのコア及びクラッドの直径を測定し、前記シングルモード光ファイバのテーパ化の程度を決定すること、
３．シングルモード光ファイバの前記クラッドを除去し、その表面を洗浄すること、
４．実行され得るテーパ化及び相互再組み立ての後で、前記マルチコア光ファイバの前記コアと前記シングルモード光ファイバの前記コアとの位置合わせが可能となるように、前記シングルモード光ファイバの露出した洗浄済みの部分を、好ましくはフッ化水素酸によりエッチングすること、
５．前記決定したテーパ化の程度に従ってシングルモード光ファイバをテーパ化し、前記マルチコア光ファイバの前記コアの直径の寸法に等しい、前記シングルモード光ファイバのコア直径を実現し得るようにすること（これが好ましい場合）、
６．シングルモード光ファイバ及びガラスロッドを挿入することができ、前記挿入された要素が自由に動けないか又は動きが制限されるようなサイズにテーパ化することによって、キャピラリを準備すること、
７．シングルモード光ファイバ及びガラスロッドを前記キャピラリ内に収容すること、
８．加熱及び伸張によって前記キャピラリ内に収容し接合した構造物をテーパ化及び固定すると共に、必要ならば前記マルチコア光ファイバもテーパ化すること、
９．前記ファイバを制御しつつ延伸可能としながら、好ましくは様々な外径及び内部構造を有する光ファイバ用カッターを用いて、長手方向のキャピラリの軸に対して直角に、前記収容し接合した構造物を有する前記キャピラリを切断し、好ましくは前記キャピラリの表面を、前記キャピラリ内に収容した前記構造物と共に研磨すること、
１０．前記マルチコア光ファイバを切断し、好ましくはその表面を研磨すること、
１１．前記キャピラリ及び内部に収容して接合された前記構造物と共に、前記キャピラリを前記マルチコア光ファイバに対して配向すること、
１２．いずれかに開示された技術手段、好ましくは接合によって、前記キャピラリ及びその内部の前記構造物に前記マルチコア光ファイバを接続すること、
を含む、方法。
【請求項１７】
前記キャピラリ（Ｓ．３）及びその中に収容された光ファイバやロッドの内部構造物の前記テーパ化が、内部構造物を備えた前記キャピラリが前記内部構造物に固定されるように行われることを特徴とする、請求項１６に記載の方法。
【請求項１８】
シングルモード光ファイバの直径が請求項１〜１２のいずれか１項に記載の前記マルチコア光ファイバの前記コア間の距離よりも著しく大きい場合には、前記技術動作シーケンスにおいて前記テーパ化及びエッチングの動作を変更し、接続される光ファイバの幾何学的形状に応じて、前記段階が省かれ得ることを特徴とする、請求項１６又は１７に記載の方法。
【請求項１９】
前記マルチコア光ファイバの前記コアがシングルモード光ファイバの前記コアの直径と異なる直径を有する場合には、前記テーパ化は、前記キャピラリ内の前記構造物のシングルモード光ファイバの前記コアの直径が前記マルチコア光ファイバの前記コアの直径と等しくなるまで継続し、
前記マルチコア光ファイバの直径が、接続される前記シングルモード光ファイバの前記直径よりも大きい場合には、該シングルモード光ファイバを前記キャピラリ内でテーパ化した後、前記マルチコア光ファイバもテーパ化することを特徴とする、請求項１６〜１８のいずれか１項に記載の方法。
【手続補正２】
【補正対象書類名】明細書
【補正対象項目名】００１９
【補正方法】変更
【補正の内容】
【００１９】
本発明による微細構造マルチコア光ファイバは、複数の基本セルを内包するものであって、基本セルの各々は、ファイバ材料、特に石英ガラス又はポリマーを被覆するファイバ材料の屈折率よりも屈折率が低いガラス、特にドーピングされた石英ガラス、又はポリマーから作られたコアと、クラッドのファイバ材料の屈折率よりも屈折率が低く、ガス、特に空気、又は流体又はポリマー又は別のガラスを充填した孔の形態をとることができ、格子定数の距離内に存在する長手領域と、を含でいる。微細構造マルチコア光ファイバは、コアを取り囲む上記長手領域を辺の長さが格子定数の２倍に等しい六角形の外周上に配置し、コアを上記長手領域によって作られる六角形の中心に有する少なくとも２つの基本セルを含んでいる。
【手続補正３】
【補正対象書類名】明細書
【補正対象項目名】００２０
【補正方法】変更
【補正の内容】
【００２０】
コアの外側であって、コアを取り囲む長手領域の内側エリアは、好ましくはガラス、特に石英ガラス、又はポリマーで作製され、内側クラッドを作っている。孔により作られる長手領域は、内側微細構造クラッドを構成する。基本セルの内側微細構造クラッドの外側エリアは外側クラッドで作られる。コアが配置されているエリア、並びに内側クラッド及び内側微細構造クラッドが、共に微細構造エリアを構成する。
【手続補正４】
【補正対象書類名】明細書
【補正対象項目名】００２２
【補正方法】変更
【補正の内容】
【００２２】
第１の基本セルがマルチコア光ファイバの幾何学的中心に配置されていない場合は、本発明による微細構造エリアの幾何学的な重心を本発明によるマルチコア光ファイバの幾何学的中心に局部配置すると有利である。
【手続補正５】
【補正対象書類名】明細書
【補正対象項目名】００２３
【補正方法】変更
【補正の内容】
【００２３】
マルチコア光ファイバの外側クラッドの直径Ｄ１は、微細構造に埋め込まれる基本セルの数に応じて自由に選択されるが、好ましくは、最も外側の孔から石英ガラス母材の縁（外側クラッドの縁）までの距離を最低限３０μｍに維持する。
【手続補正６】
【補正対象書類名】明細書
【補正対象項目名】００２７
【補正方法】変更
【補正の内容】
【００２７】
コア材料と外側及び内側クラッド材料との間の屈折率の差は、光波長λ＝１５５０ｎｍにおいてΔ＝５．６３×１０−３±２．９×１０−３に等しい。
【手続補正７】
【補正対象書類名】明細書
【補正対象項目名】００２８
【補正方法】変更
【補正の内容】
【００２８】
また、格子定数Λは（７．８±３．６）μｍに等しく、光ファイバのコア直径は（０．７±０．４６）×Λに等しく、空気が充填された孔の直径は（０．７±０．３）×Λに等しく、クラッド直径はΛ×１３＋（５０±２０）μｍに等しい。
【手続補正８】
【補正対象書類名】明細書
【補正対象項目名】００２９
【補正方法】変更
【補正の内容】
【００２９】
増幅を伴う信号伝送に本発明を適用する場合、光ファイバのコアに、希土類のイオンをドーピングする。コアに３×１０１８／ｃｍ−３〜１２０×１０１８／ｃｍ−３のレベルでエルビウムをドーピングし、これによって、コアとクラッドとの屈折率の差を、光波長λ＝１５５０ｎｍにおいてΔ＝２．５×１０−２−２．１×１０−２〜２．５×１０−２＋１．６×１０−２とする。
【手続補正９】
【補正対象書類名】明細書
【補正対象項目名】００３０
【補正方法】変更
【補正の内容】
【００３０】
好ましくは、格子定数Λが（７．８±３．６）μｍに等しく、ファイバコアの直径が（０．５±０．４６）×Λに等しく、空気が充填された孔の直径が（０．６±０．３）×Λに等しく、クラッドの直径がΛ×１３＋（５０±２０）μｍに等しいのが望ましい。
【手続補正１０】
【補正対象書類名】明細書
【補正対象項目名】００３１
【補正方法】変更
【補正の内容】
【００３１】
アクティブなバージョンで光ファイバを伝送に用いる場合、光ファイバ微細構造を、例えばガス、好ましくは空気、又は流体又はポリマーが充填された追加の孔エリア（孔とも称する）で取り囲んで、追加クラッドを設けると有利である。追加の孔エリア（外側微細構造クラッドとも称する）は、微細構造エリアを取り囲む。外側微細構造クラッドは、外側クラッドを２つのエリアに分割する。すなわち、外側微細構造クラッドと微細構造エリアの外側の孔との間に位置する近位外側クラッドのエリアと、外側微細構造クラッドの外側で光ファイバの縁まで位置する遠位外側クラッドのエリアである。
【手続補正１１】
【補正対象書類名】明細書
【補正対象項目名】００３２
【補正方法】変更
【補正の内容】
【００３２】
光ファイバの微細構造が、ガス、特に空気、又は流体又はポリマー、又は屈折率を低下させることが可能なドーピングを行った別のガラスが充填され、外側微細構造クラッドと称する追加クラッドを構成する追加の領域で取り囲まれているとき、追加クラッドを有する上記光ファイバの上記外側微細構造クラッドの一部である上記追加の領域は、好ましくは六角形及び円形から選択された形態の外周上に配置される。光ファイバの自由に選択された基本セル（複数の基本セル）は、長手領域によって部分的に囲まれている。
【手続補正１２】
【補正対象書類名】明細書
【補正対象項目名】００３３
【補正方法】変更
【補正の内容】
【００３３】
これにより、外側微細構造クラッドの孔の直径は格子定数Λよりも小さいことが好ましい。外側微細構造クラッドを構成する孔が六角形の辺及び頂点上にあり、外側微細構造クラッドの孔の中心間の距離が格子定数Λに等しい場合、外側微細構造クラッドに含まれる孔は、好ましくは円形の断面を示し、好ましくは少なくとも３０μｍの距離にある。また、追加クラッドを有する光ファイバの場合、内側微細構造クラッドを構成する孔の直径が、格子定数に比べて好ましくは（２０±１５）％小さいことが好ましい。
【手続補正１３】
【補正対象書類名】明細書
【補正対象項目名】００３４
【補正方法】変更
【補正の内容】
【００３４】
光ファイバの切断（cleaving）をある程度容易にすることが好ましく、好ましくは微細構造の基本セルの最も外側の孔を使用せず、及び／又は孔のサイズに自由に差を付ける。接合を容易にするため、光ファイバ構造において、いわゆる１つのマーカ又は複数のマーカ、すなわち、例えば光導波に影響を与えない追加の１つの孔又は複数の孔を用いることが好ましい。
【手続補正１４】
【補正対象書類名】明細書
【補正対象項目名】００３５
【補正方法】変更
【補正の内容】
【００３５】
本発明によるマルチコア光ファイバのコアを指定する装置は、キャピラリ内に並列配置された複数のシングルコアシングルモード光ファイバ（シングルモード光ファイバとも称する）を、本発明によるマルチコア光ファイバのコアの数に対応した数だけ含み、シングルモード光ファイバを収容した前記キャピラリは、本発明によるマルチコア光ファイバに接続され、キャピラリ内の光ファイバの断面及びマルチコア光ファイバの断面が、それらの構成において平行である。シングルモード光ファイバを収容したキャピラリ内に、上記マルチコア光ファイバの接続されないコアの数に対応した数のガラスロッドがあり、キャピラリが、長手方向の伸張と組み合わせて、温度の影響下で幾何学的寸法が変化しやすい、ドーピングされていない石英ガラス及びポリマーから選択された材料で作製されている。
【手続補正１５】
【補正対象書類名】明細書
【補正対象項目名】００３８
【補正方法】変更
【補正の内容】
【００３８】
本発明による微細構造マルチコア光ファイバのコアを指定するための装置の製造方法は、以下のものを含む。
１．マルチコア光ファイバのコアの数、コアの直径、及びコア間の距離を求めてマルチコア光ファイバの構造を解析する。
２．マルチコア光ファイバを接続するシングルモード光ファイバのコア及びクラッドの直径を測定し、シングルモード光ファイバのテーパ化の程度を決定する。
３．シングルモード光ファイバのクラッドを除去し、その表面を洗浄する。
４．実行され得るテーパ化及び相互再組み立ての後で、マルチコア光ファイバのコアとシングルモード光ファイバのコアとの位置合わせが可能となるように、シングルモード光ファイバの露出した洗浄済みの部分（fragment）を、好ましくはフッ化水素酸によりエッチングする。
５．計算したテーパ化の程度に従ってシングルモード光ファイバをテーパ化して、マルチコア光ファイバのコア直径の寸法に等しいコア直径を達成可能とする（これが好ましい場合）。
６．シングルモード光ファイバ及びガラスロッドを挿入することができ、挿入された要素が自由に動けないか又は動きが制限されるようなサイズにテーパ化することによって、キャピラリを準備する。
７．シングルモード光ファイバ及びガラスロッドをキャピラリ内に収容する。
８．加熱及び伸張によってキャピラリ内に収容し接合した構造物をテーパ化及び固定すると共に、必要ならばマルチコア光ファイバもテーパ化する。
９．ファイバを制御しつつ延伸可能としながら、好ましくは様々な外径及び内部構造を有する光ファイバ用カッターを用いて、長手方向のキャピラリの軸に対して直角に、接合した構造物を収容したキャピラリを切断する。好ましくはキャピラリ表面を、キャピラリ内に収容した構造物と共に研磨する。
１０．マルチコア光ファイバを切断し、好ましくはその表面を研磨する。
１１．キャピラリ及び内部に収容され接合された構造物をマルチコア光ファイバに対して配向する。
１２．いずれかの開示する技術、好ましくは接合によって、キャピラリ及びその内部の構造物にマルチコア光ファイバを接続する。
【手続補正１６】
【補正対象書類名】明細書
【補正対象項目名】００４０
【補正方法】変更
【補正の内容】
【００４０】
キャピラリ及びその中に収容された光ファイバやロッドの内部構造物のテーパ化は、内部構造物を備えたキャピラリが内部構造物に固定されるように行うのが好ましい。
【手続補正１７】
【補正対象書類名】明細書
【補正対象項目名】００４１
【補正方法】変更
【補正の内容】
【００４１】
この場合、シングルモード光ファイバの直径が、マルチコア光ファイバのコア間の距離よりも著しく大きいときには、技術動作シーケンスにおいてテーパ化及びエッチングの動作を変更し、接続される光ファイバの幾何学的形状に応じて、前記段階を省いてもよい。
【手続補正１８】
【補正対象書類名】明細書
【補正対象項目名】００４２
【補正方法】変更
【補正の内容】
【００４２】
マルチコア光ファイバのコアがシングルモード光ファイバのコアの直径と異なる直径を有する場合、テーパ化は、キャピラリ内の構造物としてのシングルモード光ファイバのコアの直径がマルチコア光ファイバのコアの直径と等しくなるまで継続し、本発明による光ファイバの直径が、これに接続されるシングルモード光ファイバの直径よりも大きい場合は、シングルモード光ファイバをキャピラリ内でテーパ化した後、本発明による光ファイバもテーパ化するのがよい。
【手続補正１９】
【補正対象書類名】明細書
【補正対象項目名】００５１
【補正方法】変更
【補正の内容】
【００５１】
（実施例１）
本発明による伝送用の微細構造マルチコア光ファイバ、及び本発明による微細構造マルチコア導波光ファイバは、複数の基本セルを内包する微細構造を含む。基本セルの各々は、クラッド４．１のファイバ材料の屈折率よりも屈折率が低いガラス、特にドーピングされた石英ガラス、又はポリマーから作られたコアと、クラッド４．１のファイバ材料の屈折率よりも屈折率が低く、ガス、特に空気、又は流体又はポリマー又は別のガラスを充填した孔の形態をとることができ、格子定数Λの距離内に存在する長手領域（以下、単に「孔」という）３．１と、を含む。
【手続補正２０】
【補正対象書類名】明細書
【補正対象項目名】００５２
【補正方法】変更
【補正の内容】
【００５２】
内側のコア２．１の材料と外側のクラッド４．１の材料との間の屈折率の差は、光波長λ＝１５５０ｎｍにおいてΔ＝５．２×１０−３±０．５×１０−３である。
【手続補正２１】
【補正対象書類名】明細書
【補正対象項目名】００５３
【補正方法】変更
【補正の内容】
【００５３】
基本セルは、コア２．１の直径Ｄ２、孔３．１の直径Ｄ３、及び隣接した孔３．１の中心間の距離に相当する格子定数Λによって特徴付けられる。孔３．１の中心は六角形の頂点及び辺の中点に配置され、この六角形の中心にコア２．１が指定され、孔３．１の軸により作られる六角形の辺ｃの長さは、格子定数Λの２倍の値に等しい。微細構造エリア内に並置された基本セルは、外側クラッド４．１で覆われている。
【手続補正２２】
【補正対象書類名】明細書
【補正対象項目名】００６０
【補正方法】変更
【補正の内容】
【００６０】
コアを指定するための装置の製造方法は、以下の通りである。
１．マルチコア光ファイバのコアの数、コアの直径、及びコア間の距離を求めてマルチコア光ファイバの構造を解析する。
２．マルチコア光ファイバを接続するシングルモード光ファイバのコアＳ．１及びクラッドＳ．２の直径を測定し、シングルモード光ファイバのテーパ化の程度を決定する。
３．シングルモード光ファイバのクラッドを除去し、その表面を洗浄する。
４．シングルモード光ファイバの露出した洗浄済みの部分を、好ましくはフッ化水素酸によりエッチングし、マルチコア光ファイバのコアとシングルモード光ファイバのコアとの位置合わせを可能とする。
５．決定したテーパ化の程度に従ってシングルモード光ファイバをテーパ化して、マルチコア光ファイバのコアの直径の寸法に等しいコアの直径を実現し得るようにする。
６．シングルモード光ファイバ及びガラスロッドを挿入することができ、挿入された要素が自由に動けないか又は動きが制限されるようなサイズにテーパ化することによって、キャピラリＳ．３を準備する。
７．シングルモード光ファイバ及びガラスロッドをキャピラリ内に収容する。
８．加熱及び伸張によってキャピラリ内に収容し接合した構造物をテーパ化及び固定すると共に、マルチコア光ファイバもテーパ化する。
９．ファイバを制御しつつ延伸可能としながら、様々な外径及び内部構造を有する光ファイバ用カッターを用いて、長手方向のキャピラリの軸に対して直角に、上記接合した構造を収容するキャピラリを切断する。
１０．マルチコア光ファイバを切断する。
１１．キャピラリ及び内部に収容され接合された構造物をマルチコア光ファイバに対して配向する。
１２．融着によって、キャピラリ及びその内部構造物にマルチコア光ファイバを接続する。
【手続補正２３】
【補正対象書類名】明細書
【補正対象項目名】００６５
【補正方法】変更
【補正の内容】
【００６５】
キャピラリ及びその内部構造物のテーパ化は、キャピラリが、収容された光ファイバと共に内部構造物に固定されるように行う。従って、キャピラリは、エッチングしたシングルモード光ファイバと共に、８９μｍ／１２７μｍのサイズから７２μｍ／１０３μｍのサイズまでテーパ化される。
【手続補正２４】
【補正対象書類名】明細書
【補正対象項目名】００７４
【補正方法】変更
【補正の内容】
【００７４】
（実施例２）
本発明による微細構造マルチコア光ファイバは、複数の基本セルを内包する微細構造を含む。基本セルの各々は、クラッド（４．１）のファイバ材料の屈折率よりも屈折率が低いガラス、特にドーピングされた石英ガラス、又はポリマーから作られたコア（２．１）と、クラッド（４．１）のファイバ材料の屈折率よりも屈折率が低く、ガス、特に空気、又は流体又はポリマー又は別のガラスを充填した、格子定数Λの距離内に存在する孔（３．１）と、を含む。
【手続補正２５】
【補正対象書類名】明細書
【補正対象項目名】００７５
【補正方法】変更
【補正の内容】
【００７５】
内側のコア（２．１）の材料と外側のクラッド（４．１）の材料との間の屈折率の差は、光波長λ＝１５５０ｎｍにおいてΔ＝５．２×１０−３±０．５×１０−３である。
【手続補正２６】
【補正対象書類名】明細書
【補正対象項目名】００８１
【補正方法】変更
【補正の内容】
【００８１】
本発明による微細構造アクティブマルチコア光ファイバは、基本セルが配置された微細構造エリアを含む。基本セルの各々は、石英ガラスのコアを有すると共に、その周囲に、空気が充填された１２個の長手方向の孔を有する。これらの孔は、石英ガラス母材に配置されている。内側のコア材料と外側のクラッド材料との間の屈折率の差は、光波長λ＝１５５０ｎｍにおいて２．５×１０−２±０．５×１０−２である。これにより、コアは、約２０×１０１８／ｃｍ−３〜約１００×１０１８／ｃｍ−３までのレベルでエルビウムがドーピングされている。
【手続補正２７】
【補正対象書類名】明細書
【補正対象項目名】００８６
【補正方法】変更
【補正の内容】
【００８６】
本発明による光ファイバは、基本セルにより生成された微細構造エリアの周囲に追加グループの孔５．１を配置することによって、追加クラッドが設けられている。
【手続補正２８】
【補正対象書類名】明細書
【補正対象項目名】００８７
【補正方法】変更
【補正の内容】
【００８７】
追加クラッドを有する光ファイバの外側微細構造クラッドの一部である孔５．１は、半径Ｄ４の円上に配置されている。これにより、外側微細構造クラッドの孔５．１の直径Ｄ５の大きさは、ネットワーク定数Λよりも小さいことが好ましい。外側微細構造クラッドの孔は、円形の断面を示し、ファイバの縁から少なくとも３０μｍの距離に配置されている。
【国際調査報告】
2017504053.tif 000021
2017504053.tif 000022